(57)【要約】  【課題】  【解決手段】本発明は、入院中に患者のためにモニタされた様々な生理パラーメータのステータスを生成及び表現する新規の方法である。本発明のシステムは、医療提供者が、複数の患者のステータスを、パラーメータ値の任意の変化と共に、一見で、容易に見ることを可能にする。  【選択図】      図１
2008531209.tif 000002
【特許請求の範囲】
【請求項１】
（ａ）少なくとも１つの生理パラーメータを測定し、及び前記生理パラーメータについてのデータを提供するための少なくとも１つのセンサー、
（ｂ）前記少なくとも１つのセンサーに接続され、及び、前記センサーユニットによって提供された前記生理パラーメータデータをリアルタイムで表示するために構成されたディスプレイユニット、
（ｃ）前記個人の一般的な健康のインディケータを生成するのに、シングルの生理パラーメータに制限されないで、複数の前記生理パラーメータデータを結合するために、前記ディスプレイユニット及び前記少なくとも１つのセンサーに接続され、及び、前記インディケータを前記ディスプレイユニットに送信するためのインフェレンスエンジン
からなることを特徴とする個人の生理状態を監視するためのシステム。
【請求項２】
前記ディスプレイユニットからリモートされ、並びに、前記ディスプレイユニットから前記個人の一般的な健康の前記インディケータ及び生理パラーメータデータを受信するためにアダプトされた中央監視ユニットと
からなることを特徴とする請求項１の個人の生理状態を監視するためのシステム。
【請求項３】
前記生理パラーメータは、脈拍数、ＥＣＧ、血中酸素飽和度（ＳｐＯ２）、呼吸数、血糖値、血圧、及び体温の中から選択される少なくとも１つの値からなる
ことを特徴とする請求項１の個人の生理状態を監視するためのシステム。
【請求項４】
前記生理パラーメータは、複数の色及び形状で視覚的に表されている
ことを特徴とする請求項１の個人の生理状態を監視するためのシステム。
【請求項５】
前記色及び形状は、ライトバーとして視覚的に現れる
ことを特徴とする請求項４の個人の生理状態を監視するためのシステム。
【請求項６】
前記ライトバーは、詳細なパラーメータトレンディング情報へのリンクとして動作する
ことを特徴とする請求項５のライトバー。
【請求項７】
前記ライトバーは、電子患者記録をインターロゲイトするために用いられている
ことを特徴とする請求項５のライトバー。
【請求項８】
インフェレンスエンジンは、生理パラーメータの上限及び下限、生理パラーメータの基準値、傾き、時間、並びに、計算を含むカスタム定義ファクタに基づいたルールを利用して動作する
ことを特徴とする請求項１の個人の生理状態を監視するためのシステム。
【請求項９】
（ａ）少なくとも１つの生理パラーメータをセンサーユニットで測定するステップ、
（ｂ）前記生理パラーメータについてのデータを提供するステップ、
（ｃ）前記センサーによって提供された前記生理パラーメータデータをディスプレイユニット上にリアルタイムで表示するステップ、
（ｄ）前記個人の一般的な健康のインディケータを生成するために、シングルのパラーメータに限定されないで、複数の前記生理パラーメータデータを結合するステップ、及び、
（ｅ）前記指数を前記ディスプレイユニットへ送信するステップ
からなることを特徴とする個人の生理状態を監視するための方法。
【請求項１０】
前記ディスプレイユニットから、前記個人の一般的な健康の前記インディケータ、及び、前記生理パラーメータデータを中央監視ステーションで受信するステップと
からなることを特徴とする請求項９に記載の個人の生理状態を監視するための方法。
【請求項１１】
前記生理パラーメータは、脈拍数、ＥＣＧ、血液酸素飽和度（ＳｐＯ２）、 呼吸数、血糖値、血圧及び体温の中から選択される少なくとも１つの値からなる
ことを特徴とする請求項９に記載の個人の生理状態を監視するための方法。
【請求項１２】
前記生理パラーメータは、複数の色及び形状で視覚的に表されている
ことを特徴とする請求項９に記載の個人の生理状態を監視するための方法。
【請求項１３】
前記個人の一般的な健康のインディケータを生成するために、複数の前記生理パラーメータデータを結合するステップは、インフェレンスエンジンを介して達成される
ことを特徴とする請求項９に記載の個人の生理状態を監視するための方法。
【請求項１４】
前記インフェレンスエンジンは、生理パラーメータの上限及び下限、生理パラーメータの基準値、傾き、時間並びに計算を含むカスタム定義ファクタに基づいたルールを利用して動作する
ことを特徴とする請求項１３に記載の個人の生理状態を監視するための方法。
【請求項１５】
（ａ）少なくとも１つの生理パラーメータを測定し、前記生理パラーメータについてのデータを提供する少なくとも１つのセンサーと、
（ｂ）前記少なくとも１つのセンサーに接続され、前記センサーユニットによって提供された前記生理パラーメータデータをリアルタイムで表示するように構成されたディスプレイユニットと、
（ｃ）前記個人の将来の健康のインディケータを生成するために、シングルの生理パラーメータに限定されないで、複数の前記生理パラーメータデータを結合するために、前記ディスプレイユニットと前記少なくとも１つのセンサーに接続され、前記指数を前記ディスプレイユニットへ送信するインフェレンスエンジンと、及び、
（ｄ）前記ディスプレイユニットからリモートされ、前記個人の将来の健康の前記インディケータ、及び、生理パラーメータデータを前記ディスプレイユニットから受信するためにアダプトされた中央監視ユニットと
からなることを特徴とする個人の生理状態を監視するためのシステム。
【請求項１６】
（ａ）少なくとも１つの生理パラーメータを測定し、前記生理パラーメータについてのデータを提供する少なくとも１つのセンサーと、
（ｂ）前記少なくとも１つのセンサーに接続され、前記センサーユニットによって提供された前記生理パラーメータデータをリアルタイムで表示するように構成されたディスプレイユニットと、
（ｃ）前記個人の一般的な健康のインディケータを生成するために、シングルのパラーメータに限定されないで、複数の前記生理パラーメータデータを結合するために、前記ディスプレイユニットと前記少なくとも１つのセンサーに接続され、前記インディケータを前記ディスプレイユニットへ送信するインフェレンスエンジンと、及び、
（ｄ）前記ディスプレイユニットからリモートされ、前記個人の一般的な健康の前記インディケータ、及び、生理パラーメータデータを前記ディスプレイユニットから受信するためにアダプトされた中央監視ユニットと
からなり、
前記ディスプレイユニット及び前記中央監視ユニットは、パラーメータデータを、パラーメータのステータスを表す色及び形状を利用して、表示するように構成され、前記色及び形状は常に視覚できるものである
ことを特徴とする個人の生理状態を監視するためのシステム。
【請求項１７】
（ａ）少なくとも１つの生理パラーメータをセンサーユニットで測定するステップ、
（ｂ）前記生理パラーメータについてのデータを提供するステップ、
（ｃ）前記センサーによって提供された前記生理パラーメータデータをディスプレイユニット上にリアルタイムで表示するステップ、
（ｄ）前記個人の一般的な健康のインディケータを生成するために、シングルのパラーメータに限定されないで、複数の前記生理パラーメータデータを結合するステップ、
（ｅ）前記指数を前記ディスプレイユニットへ送信するステップ、及び、
（ｆ）中央監視ステーションで、前記個人の一般的な健康及び生理パラーメータデータの前記インディケータを前記ディスプレイユニットから受信するステップ
からなり、
パラーメータデータは、パラーメータの前記ステータスを表す色及び形状を利用して表示され、前記色及び形状は、常に視覚できるものである
ことを特徴とする個人の生理状態を監視するための方法。
【請求項１８】
（ａ）少なくとも１つの生理パラーメータを測定し、前記生理パラーメータについてのデータを提供する少なくとも１つのセンサーと、
（ｂ）前記少なくとも１つのセンサーに接続され、前記センサーユニットによって提供された前記生理パラーメータデータをリアルタイムで表示するように構成されたディスプレイユニットと、
（ｃ）前記個人の一般的な健康のインディケータを生成するために、シングルの生理パラーメータに限定されないで、複数の前記生理パラーメータデータを結合するために、前記ディスプレイユニットと前記少なくとも１つのセンサーに接続され、前記指数を前記ディスプレイユニットへ送信し、及び、前記指数を前記ディスプレイユニットへ送信するインフェレンスエンジンと、
（ｄ）前記ディスプレイユニットからリモートされ、前記個人の一般的な健康の前記インディケータ、及び、生理パラーメータデータを前記ディスプレイユニットから受信するためにアダプトされた中央監視ユニットと
からなり、
前記ディスプレイユニット及び前記中央監視ユニットは、パラーメータの結合ステータスを表すトレンドバーと、パラーメータの将来の結合ステータスを表すアイコンを利用して、全体個人ステータスを表示するために構成された
ことを特徴とする個人の生理状態を監視するためのシステム。
【請求項１９】
（ａ）少なくとも１つの生理パラーメータを測定し、前記生理パラーメータについてのデータを提供する少なくとも１つのセンサーと、
（ｂ）前記少なくとも１つのセンサーに接続され、前記センサーユニットによって提供された前記生理パラーメータデータをリアルタイムで表示するように構成されたディスプレイユニットと、
（ｃ）前記個人の一般的な健康のインディケータを生成するために、シングルの生理パラーメータに限定されないで、複数の前記生理パラーメータデータを結合するために、前記ディスプレイユニットと前記少なくとも１つのセンサーに接続され、前記指数を前記ディスプレイユニットへ送信し、及び、前記インディケータを前記ディスプレイユニットへ伝送するインフェレンスエンジンと、
（ｄ）前記ディスプレイユニットからリモートされ、前記個人の一般的な健康の前記インディケータ、及び、生理パラーメータデータを前記ディスプレイユニットから受信するためにアダプトされた中央監視ユニットと
からなる
ことを特徴とする個人の生理状態を監視するためのシステム。
【請求項２０】
（ａ）少なくとも１つの生理パラーメータをセンサーユニットで測定するステップ、
（ｂ）前記生理パラーメータについてのデータを提供するステップ、
（ｃ）前記センサーによって提供された前記生理パラーメータデータをディスプレイユニット上にリアルタイムで表示するステップ、
（ｄ）前記個人の一般的な健康のインディケータを生成するために、シングルのパラーメータに限定されないで、複数の前記生理パラーメータデータを結合するステップ、
（ｅ）前記インディケータを前記ディスプレイユニットへ送信するステップ、及び、
（ｆ）中央監視ステーションで、前記個人の一般的な健康及び生理パラーメータデータの前記指数を前記ディスプレイユニットから受信するステップ
からなる
ことを特徴とする個人の生理状態を監視するための方法。
【発明の詳細な説明】
【技術分野】
【０００１】
発明の分野
本発明は、一般的に、患者の生理パラーメータの監視のための医療システムの分野に関し、特に、監視された生理パラーメータ等に関する情報を表示するための改良された方法及び装置に関する。更に詳しくは、本発明は、個々のパラーメータのトレンディング及び全ての健康インディケータの計算の両方によって、患者の健康を過去に遡って及び予想して表示するための改良された方法及び装置に関する。
【背景技術】
【０００２】
発明の背景
患者監視システムは、患者のステータス及び状態の監視用に、集中治療室（ICUs）等の病院に一般に利用されている。従来の患者監視システムは、ＥＣＧ、血圧、血中酸素、血糖値、及び温度等のパラーメータをセンシングするために、患者に１以上のセンサーがアタッチされたベッドサイドモニタを一般的に含む。これらのセンサーからの出力は、続いて測定値を処理するシステムプロセッサへ送信される。そして、これらの値は、ビデオディスプレイの画面上に表示され、又は、後の分析用に保存されることが可能である。測定された生理パラーメータを表すデータは、一般的に、波形及び／又は数値として表示される。
【０００３】
従来の患者監視システムは、重態患者のイベント又はアラーム状態をハンドルすることもできる。例えば、監視されている生理データの１つの値が、設定閾値を超過、及び／又は、設定アラーム基準に合致したとき、アラームがベッドサイドモニタによって作動し、続いて、中央監視ステーションへ送信される。中央ステーションで、アラームは、関連のパラーメータ情報を強調表示する等の、様々な方法で公表される。音声アラームは、通常、中央ステーションで発生される。
【０００４】
集中治療室等の情報集約又は情報要求の医療環境において、患者監視システムのディスプレイ画面上に情報を、明瞭及び明白な方法で、示すことが重要である。しかし、従来の患者監視システムは、患者診断変数の変化の比較又は評価を示す能力には限界がある。従来のシステムは、もっと有用なデータの蓄積に実用的であるが、データへのアクセスが大体困難で時間がかかる。
【０００５】
従来技術には、重態患者イベントとアラーム状態を強調表示するもののように、複数の患者監視システムが開示されている。例えば、特許文献１（米国特許第5,438,983号）には、「生理パラーメータを表す値を測定するセンサー、並びに、前記センサーに接続され、及び、前記センサーで測定された前記パラーメータ値を処理するプロセッサからなる患者監視システムにおいて、
前記プロセッサは、
前記パラーメータ値は、安全ゾーンの限度以内にあるか否かを判定する手段と、
前記パラーメータ値と時間の変化機能である前記パラーメータ値が前記安全ゾーンの限度の外側になったとき、トレンドベクタの計算を初期化する手段と、
前記トレンドベクタをアラーム制限機能と比較する手段と、及び、
前記とトレンドベクタが前記アラーム制限機能を超えたときにアラームを発行する手段
からなることを特徴する患者監視システム」を開示している。
【特許文献１】米国特許第5,438,983号明細書
【発明の開示】
【発明が解決しようとする課題】
【０００６】
また、従来技術の患者監視システムは、センシングされた状態が正常、正常以上、正常以下である値を表示する出力信号を提供するセンサシステムを含んでいる。これらの信号は、状態を監視するのに利用されることが可能である。また、これらの信号は、患者の状態の表示を提供する異常信号との特定な組み合わせのように、結合されることが可能である。従来技術のシステムは、大量の患者データ及び情報に同時通信することを試みてはいるが、これらのシステムは、十分な情報のある環境で、データを早く分析する効率的及び効果的手段を、医師又は臨床医に提供していないという欠陥がある。
【０００７】
加えるに、現行の患者監視システムにおいて、個別健康パラーメータは、一般的に、個別のデータ要素としてみることができる。臨床医は、患者ステータスの複合トレンドを判断するために、各パラーメータを別々に見る。従って、医療提供者にとって、情況の複数のパラーメータを正確に判断するには、これは、常に時間がかかるチャンレジであり、よって、エラー又はデータの見逃しを招き、更に、患者ステータスに関するまずい決定につながる。
【０００８】
従って、統合ディスプレイ上に患者のステータス及び患者の健康の判断を容易にする、患者の生理パラーメータを監視する方法、システム、及び装置が必要である。
【０００９】
また、少なくとも１つの測定パラーメータのステータスを、明確及び簡潔に、連続的に表すことができる患者監視デバイスが必要であり、よって、集中治療室等のストレスの多い環境において、相当多くの情報に直面しているにもかかわらず、患者の健康についての決定及び結論を出す医療提供者を手助けする。
【００１０】
更に、統合ディスプレイ上に、患者健康ステータスを表す複数のパラーメータからデータを認識する患者監視デバイスが必要である。
更に、複数の測定パラーメータのステータスを、明確及び簡潔に、連続的に表すことができる患者監視デバイスが必要であり、よって、患者健康についての決定及び結論を出す医療提供者を手助けする。
【００１１】
更に、それほど重体ではないアラーム、すでに認知されたアラーム等の状態から、生命にかかわる患者状態を区別できるように、患者監視システムのディスプレイ画面上に、アラーム状態が明確に表される患者監視システムが必要である。
【課題を解決するための手段】
【００１２】
発明の要約
本発明は、患者の生理パラーメータを監視するための医療システムであり、もっと詳しくは、患者のステータスと健康の診断を容易にする患者の生理パラーメータを監視するための、及び、患者のステータスと健康に関する情報を表示するための改良された方法及び装置である。
【００１３】
更にもっと詳しくは、本発明は、個別のパラーメータトレンディング、及び、全体健康インディケータの計算の両方によって、患者健康ステータスを表示するための改良された方法及び装置である。
【００１４】
１つの実施の形態において、本発明は、患者の少なくとも一つの生理パラーメータのステータスを生成及び表す方法で、及び、患者の生理パラーメータ監視用の医療システムのディスプレイの一部にそのステータスを表示する方法である。
【００１５】
一つの実施の形態において、本発明は、患者の複数の生理パラーメータのステータスの生成、表現、及び計算の方法で、並びに、患者の生理パラーメータ監視用の医療システムのディスプレイの一部にそのステータスを表示する方法である。
【００１６】
他の実施の形態において、本発明は、定義ルールに基づいたビューが臨床医に提供された、患者監視システムである。このビューは、患者の統合情況、更に、全体の健康ステータスの複数のパラーメータの正確な判断をアシストするものである。
【００１７】
本発明の患者監視システムは、測定された生理パラーメータのステータスを、明確で簡潔に、連続的に表す。よって、一つの実施の形態において、本発明は、患者監視システムである。この患者監視システムにおいて、この患者監視システムのディスプレイ画面上に、それほど重要ではないアラーム又はすでに認知されたアラーム等の他の状態から生命にかかわる患者の状態が区別されるように、全体の健康又は個別パラーメータ健康に関する患者ステータスが明確に表される。
【００１８】
一つの実施の形態において、患者の全体の健康ステータスは、複数の生理パラーメータの計算合成のインディケータを表す。
一つの実施の形態において、本発明のシステムは、複数の患者の少なくとも一人の全体の健康ステータスを、医療提供者が一見しただけで分かることを可能にする。
【００１９】
本発明の一つの実施の形態において、このシステムは、視覚的に過去に遡った、及び、視覚的に予想された両方のトレンディングディスプレイからなる。このトレンディングディスプレイは、限定されないが、生理パラーメータ、体重、年齢、及びルールに基づいたエンジンアルゴリズムに従った他の計算を含むデータ要素のユーザ定義グループの値を結合することで、患者の全体の健康ステータスの概要を設定時間間隔内に提供する。
【００２０】
ユーザは、個別のパラーメータの明確な上限値、傾き、タイミング、及び計算を変化させることで、ビジュアルトレンドディスプレイのルールを構成することができる。
一つの実施の形態において、患者の健康ステータスは、水平トレンドバーとしてディスプレイ上に表される。
【００２１】
一つの実施の形態において、本発明のシステムは、医療提供者が、少なくとも一人の患者の個別パラーメータ健康ステータスを一見しただけで見ることを可能にする。オプションとして、医療提供者は、個別パラーメータ値の任意の変化を見ることができる。
【００２２】
一つの実施の形態において、患者の個別パラーメータ健康ステータスは、特定患者のために、少なくとも一つの個別パラーメータ値の変化のインディケータを表す。一つの実施の形態において、少なくとも一つの個別パラーメータ値の変化のインディケータは、予め決められた閾値に基づいたものである。
【００２３】
一つの実施の形態において、患者の個別パラーメータ健康ステータスは、垂直トレンドバーとして、ディスプレイ上に表される。一つの実施の形態において、本発明は、個別パラーメータのステータスを表す個別患者パラーメータゾーンの一部へ、独自の色又は形状を適用することからなる。例えば、垂直表示パラーメータゾーンを有する。パラーメータゾーンの色付加された及び／又は形状された領域は、一つの構成に、垂直のカラーライトバーから視覚的に構成される。
【００２４】
一つの実施の形態において、トレンドバーは、患者の過去に遡ったステータス内のレベルと変化を表すために、及び、データオーバータイムの合成ビューを可能にするために、緑、黄色、及び赤に限定されない、複数の色及び複数の色の混合を用いる。
【００２５】
一つの実施の形態において、本発明は、更に、予測インディケータからなる。予測インディケータは、構成可能な予測ルールに基づいて将来の予想トレンドのカラーインディケータを表示するアイコンであることが好ましい。
インディケータの色は、これらに限定されないが、緑、黄色、及び赤等のはっきり見える色が選定される。トレンディングインディケータ自身は、このように、ハードウェア及び／又はソフトウェア実行に実施される。
【００２６】
一つの実施の形態において、トレンドバーは、常に視覚的であり、よって、臨床医が一見しただけで簡単なトレンディング情報を容易に見ることができる。このトレンドバーは、ミニアチュアパラーメータトレンドディスプレイを含め、データをもっと詳細に表示するために、「ホットリンク」として勤める。ライトバートレンディングは、含まれるデータの継続時間と共にトレンド情報の密度用に、ユーザ定義のものであることが好ましい。対応ルールに基づいたエンジンは、ユーザ定義された上限値、下限地、基準値、傾き、時間、及び、計算を考慮する。
【００２７】
一つの実施の形態において、本発明は、個人の生理状態の監視用のシステムであって、このシステムは、
少なくとも１つの生理パラーメータを測定し、前記生理パラーメータについてのデータを提供するための少なくとも１つのセンサー、
前記少なくとも１つのセンサーに接続され、前記センサーユニットによって提供された前記生理パラーメータデータをリアルタイムで表示するために構成されたディスプレイユニット、及び、
個人の一般的な健康のインディケータを生成するのに、シングル生理パラーメータに限定されないが、複数の前記生理パラーメータデータを結合するために、前記ディスプレイユニットと前記少なくとも１つのセンサーに接続され、前記インディケータを前記ディスプレイユニットへ送信するためのインフェレンスエンジン
からなる。
【００２８】
オプションとして、前記システムは、更に、前記ディスプレイからリモートされ、前記個人の一般的な健康及び生理パラーメータデータの前記インディケータを前記ディスプレイユニットから受信するためにアダプトされた中央監視ユニットからなる。
【００２９】
一つの実施の形態において、前記測定された生理パラーメータは、脈拍数、ＥＣＧ、血中酸素飽和度（ＳｐＯ２）、呼吸数、血糖値、血圧、及び体温の中から選択される１以上からなる。
一つの実施の形態において、前記生理データは、ライトバーとして表れる、複数の色及び形状で視覚的に表される。オプションとしては、このライトバーは、電子患者レコードを含む、詳細なパラーメータトレンディング情報へのリンクとして動作できる。
【００３０】
他の実施の形態において、本発明は、個人の生理状態の監視用の方法である。この方法は、
センサーユニットで少なくとも１つの生理パラーメータを測定するステップ、
前記生理パラーメータについてのデータを提供するステップ、
前記センサーにより提供された前記生理パラーメータデータをリアルタイムでディスプレイユニット上に表示するステップ、
シングルパラーメータに限定されないが、個人の一般的な健康のインディケータを生成するために、複数の前記生理パラーメータデータを結合するステップ、及び
前記インディケータを前記ディスプレイユニットへ送信するステップ
からなる。
【００３１】
オプションとして、本発明のこの方法は、更に、中央監視ステーションにおいて、前記個人の一般的な健康及び生理パラーメータデータの前記インディケータを、前記ディスプレイユニットから受信するステップからなることが可能である。一つの実施の形態において、前記個人の一般的な健康のインディケータを生成するために、複数の前記生理パラーメータを結合する前記ステップは、インフェレンスエンジンを介して達成される。一つの実施の形態において、前記インフェレンスエンジンは、生理パラーメータの上限値と下限値、生理パラーメータの基準値、傾き、時間及び計算を含むカスタム定義ファクタに基づいたルールを利用して動作する。
【００３２】
また他の実施の形態において、本発明は、個人の生理状態の監視用のシステムであって、このシステムは、
少なくとも１つの生理パラーメータを測定し、前記生理パラーメータについてのデータを提供するための少なくとも１つのセンサー、
前記少なくとも１つのセンサーに接続され、前記センサーユニットにより提供された前記生理パラーメータデータをリアルタイムで表示するために構成されたディスプレイユニット、
シングル生理パラーメータに限定されないが、個人の将来健康のインディケータを生成するために、複数の前記生理パラーメータデータを結合するために、前記ディスプレイユニットと前記少なくとも１つのセンサーに接続され、前記インディケータを前記ディスプレイユニットへ送信するためのインフェレンスエンジン、及び、
前記ディスプレイユニットからリモートされ、前記ディスプレイユニットから前記個人の将来健康と生理パラーメータデータのインディケータを受信するためにアダプトされた中央監視ユニット
からなる。
【００３３】
また他の実施の形態において、本発明は、個人の生理状態の監視用のシステムであって、このシステムは、
少なくとも１つの生理パラーメータを測定し、前記生理パラーメータについてのデータを提供するための少なくとも１つのセンサー、
前記少なくとも１つのセンサーに接続され、前記センサーユニットにより提供された前記生理パラーメータデータをリアルタイムで表示するために構成されたディスプレイユニット、
シングル生理パラーメータに限定されないが、個人の一般的な健康のインディケータを生成するために、複数の前記生理パラーメータデータを結合するために、前記ディスプレイユニットと前記少なくとも１つのセンサーに接続され、前記インディケータを前記ディスプレイユニットへ送信するためのインフェレンスエンジン、及び、
前記ディスプレイユニットからリモートされ、前記ディスプレイユニットから前記個人の一般的な健康と生理パラーメータデータのインディケータを受信するためにアダプトされた中央監視ユニット
からなり、
前記ディスプレイユニットと前記中央監視ユニットは、パラーメータデータを、パラーメータのステータスを表す色と形状を利用して表示するために構成され、この色と形状は常時視覚的であることを特徴とする。
【００３４】
他の実施の形態において、本発明は、個人の生理状態の監視用の方法であって、この方法は、
少なくとも１つの生理パラーメータをセンサーユニットで測定するステップ、
前記生理パラーメータについてのデータを提供するステップ、
前記センサーによって提供された前記生理パラーメータデータをリアルタイムでディスプレイユニット上に表示するステップ、
シングルパラーメータに限定されないが、個人の一般的な健康のインディケータを生成するために、複数の前記生理パラーメータデータを結合するステップ、
前記インディケータを前記ディスプレイユニットへ送信するステップ、及び、
中央監視ステーションで、前記ディスプレイユニットから、前記個人の一般的な健康のインディケータと生理パラーメータデータを受信するステップ
からなり、
パラーメータデータは、パラーメータのステータスを表す色と形状を利用して表示され、
前記色と形状は常時視覚的であることを特徴とする。
【００３５】
また他の実施の形態において、本発明は、個人の生理状態の監視用のシステムであって、このシステムは、
少なくとも１つの生理パラーメータを測定し、前記生理パラーメータについてのデータを提供するための少なくとも１つのセンサー、
前記少なくとも１つのセンサーに接続され、前記センサーユニットにより提供された前記生理パラーメータデータをリアルタイムで表示するために構成されたディスプレイユニット、
シングル生理パラーメータに限定されないが、個人の一般的な健康のインディケータを生成するために、複数の前記生理パラーメータデータを結合するために、前記ディスプレイユニットと前記少なくとも１つのセンサーに接続され、前記インディケータを前記ディスプレイユニットへ送信するためのインフェレンスエンジン、及び、
前記ディスプレイユニットからリモートされ、前記ディスプレイユニットから前記個人の健康状態と生理パラーメータデータのインディケータを受信するためにアダプトされた中央監視ユニット
からなり、
前記ディスプレイユニットと前記中央監視ユニットは、パラーメータの結合ステータスを表すトレンドバーと、パラーメータの将来の結合ステータスの予測を表すアイコンを利用して、全ての個別ステータスを表示するために構成された
ことを特徴とする。
【００３６】
また他の実施の形態において、本発明は、個人の生理状態の監視用のシステムであって、このシステムは、
少なくとも１つの生理パラーメータを測定し、前記生理パラーメータについてのデータを提供するための少なくとも１つのセンサー、
前記少なくとも１つのセンサーに接続され、前記センサーユニットにより提供された前記生理パラーメータデータをリアルタイムで表示するために構成されたディスプレイユニット、
シングル生理パラーメータに限定されないで、個人の一般的な健康のインディケータを生成するために、複数の前記生理パラーメータデータを結合するために、前記ディスプレイユニットと前記少なくとも１つのセンサーに接続され、前記インディケータを前記ディスプレイユニットへ送信するためのインフェレンスエンジン、及び、
前記ディスプレイユニットからリモートされ、前記ディスプレイユニットから前記個人の健康状態と生理パラーメータデータのインディケータを受信するためにアダプトされた中央監視ユニット
からなる。
【００３７】
また他の実施の形態において、本発明は、個人の生理状態の監視用の方法であって、この方法は、
少なくとも１つの生理パラーメータをセンサーユニットで測定するステップ、
前記生理パラーメータについてのデータを提供するステップ、
前記センサーにより提供された前記生理パラーメータデータをリアルタイムでディスプレイユニット上に表示するステップ、
シングルパラーメータに限定されないで、個人の一般的な健康のインディケータを生成するために、複数の前記生理パラーメータデータを結合するステップ、
前記インディケータを前記ディスプレイユニットへ送信するステップ、及び、
中央監視ユニットで、前記個人の一般的な健康と生理パラーメータデータのインディケータを前記ディスプレイユニットから受信するステップ
からなる。
【発明を実施するための最良の形態】
【００３８】
発明の詳細な説明
本発明は、患者の生理パラーメータ監視用の医療システムに関し、もっと詳しくは、監視された生理パラーメータに関する情報を表示するための改良された方法及び装置に関する。
【００３９】
もっと詳細には、本発明は、患者ステータス及び健康のアセスメントを容易にする患者生理パラーメータの監視の方法、システム及び装置に関する。
更にもっと詳細には、本発明は、個別パラーメータトレンディング及び全体健康インディケータの計算の両方によって、患者健康ステータスを表示するための改良された方法、及び装置に関する。
【００４０】
追加して、本発明は、患者の少なくとも１つの生理パラーメータのステータスを生成及び表現するための、及び、患者の生理パラーメータの監視用の医療システムのディスプレイの一部にこのステータスを表示するための方法に関する。
追加して、本発明は、患者の複数の生理パラーメータのステータスを生成、表現、及び計算するための、及び、患者の生理パラーメータの監視用の医療システムのディスプレイの一部にこのステータスを表示するための方法に関する。
【００４１】
追加して、本発明は、定義ルールに基づいたビューが臨床医に提供された、患者監視システムに関する。このビューは、患者の統合情況、更に、全体の健康ステータスの複数のパラーメータの正確な判断をアシストするものである。
【００４２】
追加して、本発明の患者監視システムは、測定された生理パラーメータのステータスを、明確で簡潔に、連続的に表すことができる。よって、本発明は、患者監視システムに関し、この患者監視システム内には、この患者監視システムのディスプレイ画面上に、それほど重要ではないアラーム又はすでに認知されたアラーム等の他の状態から生命にかかわる患者状態が区別されるように、全体の健康又は個別パラーメータ健康が明確に表される。
【００４３】
一つの実施の形態において、患者の全体の健康ステータスは、複数の生理パラーメータの計算合成のインディケータを表す。
一つの実施の形態において、本発明のシステムは、複数の患者の少なくとも一人の全体の健康ステータスを、医療提供者が一見しただけで分かることを可能にする。
【００４４】
本発明の一つの実施の形態において、システムは、視覚的に過去に遡った、及び、視覚的に予想された両方のトレンディングディスプレイからなる。このトレンディングディスプレイは、限定されないが、生理パラーメータ、体重、年齢、及びルールに基づいたエンジンアルゴリズムに従った他の計算を含むデータ要素のユーザ定義グループの値を結合することで、患者の全体の健康ステータスの概要を設定時間間隔内に提供する。
【００４５】
ユーザは、個別のパラーメータの明確な上限値、傾き、タイミング、及び計算を変化させることで、ビジュアルトレンドディスプレイのルールを構成することができる。
一つの実施の形態において、患者の健康ステータスは、水平トレンドバーとしてディスプレイ上に表される。
【００４６】
一つの実施の形態において、本発明のシステムは、医療提供者が、少なくとも一人の患者の個別パラーメータ健康ステータスを一見しただけで見ることを可能にする。オプションとして、医療提供者は、個別パラーメータ値の任意の変化を見ることができる。
【００４７】
一つの実施の形態において、患者の個別パラーメータ健康ステータスは、特定患者のために、少なくとも一つの個別パラーメータ値の変化のインディケータを表す。一つの実施の形態において、少なくとも一つの個別パラーメータ値の変化のインディケータは、予め決められた閾値に基づいたものである。
【００４８】
一つの実施の形態において、患者の個別パラーメータ健康ステータスは、垂直トレンドバーとして、ディスプレイ上に表される。一つの実施の形態において、
本発明は、個別パラーメータのステータスを表す個別患者パラーメータゾーンの一部へ、独自の色又は形状を適用することからなる。例えば、垂直表示パラーメータゾーンを有する。パラーメータゾーンの色付加された及び／又は形状された領域は、一つの構成に、垂直のカラーライトバーから視覚的に構成される。
【００４９】
一つの実施の形態において、トレンドバーは、患者の過去に遡ったステータス内のレベルと変化を表すため、及び、データオーバータイムの合成ビューを可能にするために、緑、黄色、及び赤に限定されない、複数の色及び複数の色の混合を用いる。
【００５０】
一つの実施の形態において、本発明は、更に、予測インディケータからなる。予測インディケータは、構成可能な予測ルールに基づいて将来の予想トレンドのカラーインディケータを表示するアイコンであることが好ましい。インディケータの色は、これらに限定されないが、緑、黄色、及び赤等のはっきり見える色が選定される。トレンディングインディケータ自身は、このように、ハードウェア及び／又はソフトウェア実行に実施される。
【００５１】
一つの実施の形態において、トレンドバーは、常に視覚的であり、よって、臨床医が一見しただけで簡単なトレンディング情報を容易に見ることができる。このトレンドバーは、ミニアチュアパラーメータトレンドディスプレイを含め、データをもっと詳細に表示するために、「ホットリンク」として勤める。
【００５２】
ライトバートレンディングは、含まれるデータの継続時間と共にトレンド情報の密度のため、ユーザ定義のものであることが好ましい。対応するルールに基づいたエンジンは、ユーザ定義された上限値、下限地、基準値、傾き、時間、及び、計算を考慮する。
好ましい実施の形態の様々な変更は、当業者に容易に推定され、及び、ここで開示した内容は、この発明の精神と範囲と添付の請求の範囲から逸脱することなく、他の実施の形態と応用に応用可能である。よって、本発明は、説明された実施の形態に限定されるものではなく、ここに開示したもっとも広い範囲である。
【００５３】
図１は、本発明で使われる患者監視装置の一つの実施の形態の概略図である。図１に図示したように、本発明の一つの実施の形態において、患者監視システム１００は、中央監視ステーション１０１と、患者のベッドサイドに設置されることが好ましい少なくとも１つのモニタ１０２からなる。一つの実施の形態において、中央ステーション１０１は、看護師ステーション、又は、同様に中央位置の病院スタッフ配置場所に設置される。詳細に後述されるように、少なくとも１つのモニタ１０２から中央ステーション１０１で受信されたもので、選択された患者の情報は、中央ステーションにアタッチされたビデオディスプレイ（図示せず。）上に表される。
【００５４】
一つの実施の形態において、各モニタ１０２は、少なくとも１つのセンサー（図示せず。）からなるセンサー装置１０２と通信する。このセンサーは、患者（図示せず。）にアタッチされ、患者の様々な生理パラーメータを記録するのに利用される。このパラーメータは、限定されないが、心拍数、ＥＣＧ、観血血圧、非観血血圧、体温（口腔体温、直腸温、及び鼓膜温度）、呼吸数、エンタイダル二酸化炭素、酸素、心拍出量、 ＳｐＯ２、ＳｖＯ２、及び様々な麻酔ガス等である。
【００５５】
一つの実施の形態において、個人は、少なくとも１つの生理パラーメータの測定値を取得し、これらの値をアナログ信号へ変換する。そして、この信号は、ディジタル化される。ベッドサイドモニタ１０２は、センサー装置１０３から取得した生理情報を記録し、患者情報を中央ステーション１０１へ送信する。
【００５６】
当業者には、センサー装置とモニタの間、モニタと中央ステーションの間の通信は、任意の適当な有線又は無線媒体を利用し、及びブルートゥース（商標登録）、イーサネット（商標登録）、８０２．１１（ｘ）標準、又は他の無線プロトコルに基づいた通信を含むことは明であり、
【００５７】
測定パラーメータ値の他に、患者情報は、限定されないが、患者の氏名、ベッド番号、及び患者の識別番号（ＩＤ）又はその患者の担当医師のＩＤ等の統計情報を含む患者記録に入っている任意及び全ての情報を含むことが可能である。オプションとして、患者情報は、身長、体重、家族の医療履歴、Ｘ線情報、ラボラトリ分析結果、及び保険情報を含むことができる。詳細に後述されるように、モニタ１０２は、一般的に、個人患者情報を表示するためのディスプレイ画面からなる。
【００５８】
本発明の一つの実施の形態において、システムは、限定されないが、生理パラーメータ、体重、年齢、及びルールに基づいたエンジンアルゴリズムに従う他の計算を含むデータ要素のユーザ定義グループの値を結合することによって、設定時間間隔内に患者の全体健康ステータスの概要を提供する、視覚的過去に遡ったトレンディングディスプレイ、及び、視覚的予想トレンディングディスプレイの両方からなる。
【００５９】
例えば、そのような例に限定されないが、患者健康は、もっと正確な判断用に、患者の年齢、及び、その特定年齢に対応する心拍数係数に対応して基づいてある程度計算されることが可能である。そのユーザは、個別パラーメータの上限値、傾き、タイミング、及び計算を変更することで、視覚トレンディングディスプレイのルールを構成することができる。本発明の他の実施の形態において、システムは、事前に設定された時間間隔中に測定された個人生理パラーメータの概要を提供する視覚ディスプレイからなる。
【００６０】
図２は、全体患者健康ステータストレンドバー及び個別パラーメータ患者健康ステータストレンドライトバーの両方を図示した、本発明の中央ステーション患者情報ディスプレイの一つの実施の形態の説明図である。
【００６１】
一つの実施の形態において、中央ステーションディスプレイは、複数のセクション２０１−２１０に分割されている。セクション２０１−２１０は、個別患者セクション２０１−２１０を表すことが好ましく、対応する波形、アラーム、及び患者統計情報と共に各患者用に生理データを表示するために用いられる。一つの実施の形態において、より良い患者ステータス認識を可能にするために、個別患者セクション２０１−２１０の空間アレンジメントは、それぞれの患者モニタ及び／又はベッドの実際の物理アレンジメントに一致する。例えば、そのような例に限定されないが、個別患者セクション２０８は、ベッド８の患者用のベッドサイドモニタに一致し、限定されないがＥＣＧ、ＳｐＯ２、及びＣＶＰを含むベッド８の患者用の複数の生理パラーメータに関する情報を表示する。
【００６２】
一つの実施の形態において、中央ステーションディスプレイは、更に、トレンディングディスプレイからなる。一つの実施の形態において、このトレンディングディスプレイは、患者の少なくとも１つの測定生理パラーメータの連続概要である。
一つの実施の形態において、トレンディングディスプレイは、マルチパラーメータ全体患者健康バーである。一つの実施の形態において、マルチパラーメータ全体患者健康バーは、水平ライトバー２１５である。他の実施の形態において、トレンディングディスプレイは、個別パラーメータトレンドバーである。一つの実施の形態において、個別パラーメータトレンドバーは、詳細に後述される垂直ライトバー２２０である。
【００６３】
一つの実施の形態において、トレンドディスプレイバー２１５及び２２０は、ユーザ定義時間間隔を表すために発光光の色又は強度を用いる。一つの実施の形態において、ユーザ定義時間間隔は、時間間隔ドロップダウン間隔メニューとインディケータ２１６はライトバー２１５に隣接するように、トレンドバー２１５の近傍に表示される。時間間隔は、インターバルメニュー及びインディケータ２１６内の時間機能にアクセスすることで、動的に変更され、調整されることが可能である。
【００６４】
一つの実施の形態において、複数の色及び／又は形状の変化は、トレンドバー上の表される概要情報を区別するのに利用される。例えば、一つの実施の形態において、複数の生理パラーメータについて計算されたコンポジットによって表される、通常、又は「良好」の状態を表すのに、トレンドバーが「緑」色で色付きされる。他の実施の形態において、トレンドバーは、「黄色」の色で、警報状態を表すことが可能で、更に、複数の生理パラーメータの計算されたコンポジットは、境界線又は警告ステージに入った、及び、予め設定された閾値又は範囲を超過するのに近いことを表す。他の実施の形態において、トレンドバーは、「赤」色で、高い警報状態を表し、更に、生理パラーメータの1以上の要素は、予め設定された閾値又は範囲を超えたことを表す。
【００６５】
オプションとして、健康バーの幅は、複数の視認可能なセクションに分割されることが可能であり、各セクションは、選択された時間フレーム中のトレンドの分割を表す。「バー」の各セクションは、選択された時間フレーム部分に、計算された患者全体健康を表す色の中に表示されることが可能である。
【００６６】
例えば、戻って図２に示すように、選択された患者タイトルバー用に、８時間インターバルで患者が監視されている場合、ライトバーは、８時間イナターバルバー内の時間の各セクション用に異なる全体患者ステータスを表す、８時間インターバルの繰り返しを異なる色で表す。図２に示すように、８時間インターバルで監視するように構成された健康バー２１５は、患者の全体健康に想到する、健康バーセクションが緑の「良い」ステータスから黄色の「警報」ステータスへ変わった、最近の警報を図示している。
【００６７】
一つの実施の形態において、本発明の患者監視システムは、更に、インフェレンスエンジンからなる。一つの実施の形態において、インフェレンスエンジンは、任意のシステムホスト上に実行できるアプリケーションである。インフェレンスエンジンは、様々なパラーメータのステータスを判定するために、及び、トレンドバー及びトレンド波形の表示を可能にするために用いられることが好ましい。インフェレンスエンジンは、任意の計算デバイス上にインストールされることができ、及びＬｉｎｕｘ（登録商標）ベース、ＵＮＩＸ（登録商標）ベース、Ｊａｖａ（登録商標）ベース、又はマイクロソフト（登録商標）ベースのオペレーティングシステムを含む任意のオペレーティングシステムと互換性があることは、当業者には明らかである。インフェレンスエンジンは、複数のルールからなり、一般標準によって決められた又は臨床医定義のものとして、異なるパラーメータの上限値、下限値、基準値、傾き、時間、及び他の計算を考慮するものである。
【００６８】
追加して、ルールに基づいたエンジンは、限定されないが、ディスプレイバー又はアイコンのスロープ、タイミング、継続時間、及び合成計算値の組み合わせを含む、個々のパラーメータ閾値を定義することを臨床医に可能にする。
このように、ユーザは、測定パラーメータ及び個別患者ステータスに依存して、特に「通常」、「警報」、及び「高い警報」の範囲を定義する閾値を割り当てることができる。
【００６９】
オプションとして、臨床医は、個別の患者状態に従って、インフェレンスエンジンのルールを修正することが可能である。例えば、標準血圧の限度は、８０ミリメータの拡張期血圧と１２０ミリメータの収縮期血圧である。高年齢層の患者又は高血圧病歴の患者の場合は、担当医によって個人患者にとって安全とみなされる、９０ミリメータ拡張期血圧と１４０ミリメータ収縮期血圧のように、血圧限度は標準より若干高くなっている。このように、本発明の患者監視システムは、個別患者の特定要求に合うように、様々身体パラーメータのステータスを判定するルールをアダプトすることができることを臨床医に提供する。
【００７０】
一つの実施の形態において、中央ステーションディスプレイは、更に、限定されないが、アイコン２１７等のアイコンが好ましい、予測ディスプレイからなる。一つの実施の形態において、アイコン２１７は、パラーメータディスプレイルール及びトレンドデータ用のオープン／クローズアイコンである。一つの実施の形態において、予測モデルディスプレイアイコンは、トレンディングバーの近傍に配置され、構成可能な予測ルールエンジンに基づいた将来の患者診断用の予想トレンドのカラーインディケータを表示する。
【００７１】
一つの実施の形態において、予測アイコンは、ユーザ定義時間間隔を表し、予め設定時された間間隔での患者ステータスを表示するのに異なるカラーを用いる。データは、このように、ユーザ定義時間増加分内に収集され、表示される収集されたデータが最大のとき、データは、階層構造であることが好ましい。もっと詳しくは、新規に収集されたデータは、古いデータより優先的に表示される。
【００７２】
一つの実施の形態において、特定時間間隔中にデータが収集されないとき、トレンドバー又は予測アイコンは、透明又はカラーにされないままである。他の実施の形態において、モニタは、データ収集されない時間間隔中に「ブランク」を表示する。ディスプレイバー又はアイコンは、時間経過と共に、可視画面エリアセクションを進行的に移動する。
【００７３】
上述したように、他の実施の形態において、トレンディングディスプレイは、個別パラーメータトレンドバーである。一つの実施の形態において、そのような実施の形態に限定されないが、個別パラーメータトレンドバーは、垂直カラーライトバー２２０である。オプションとして、個別パラーメータトレンドバーは、中央監視ステーションで待機するスタッフに視覚可能である。オプションとして、パラーメータ値の変化を表示するのに、異なるカラーが、トレンドバーをハイライトされるのに利用される。臨床医が、トレンディング情報を簡単に見ることを可能にし、このように、個別パラーメータ患者健康ステータスを一見しただけで解明する。
【００７４】
戻って図２に示すように、複数の色及び／又は影付きの変化は、個別パラーメータトレンドバー上に表された情報を区別するのに利用される。例えば、一つの実施の形態において、トレンドバー２２０は、通常又は「良好」の状態を示すのに「緑」の色で影付きされ、更に、患者から読み取る生理パラーメータは定義されたセーフ制限内にあることを示す。他の実施の形態において、トレンドバー２２０は、警報状態を示す黄色で影付きされ、更に、１以上の生理パラーメータ要素が境界線又は警告ステージに入ったこと、及び、事前定義された閾値又は範囲を超過するのに近いことを示す。他の例において、トレンドバー２２０は、赤で影付きされ、高い警報状態を図示し、更に、生理パラーメータ中の１以上の要素が、事前定義された閾値又は範囲を超過したことを表す。
【００７５】
追加して、トレンドバーは、更に、特定患者用の生理パラーメータ用のセーブ値及びアラーム限界値を定義するのに用いられたルールのステータスの変化を表すのに影付きからなることが可能である。そのような例に限定されないが、もっと詳しくは、ルールに基づいたエンジン内の特定生理パラーメータ用の１以上のルールが無効にされたことを、点線トレンドバー２２１で表示可能である。そのような例に限定されないが、他の例において、クリアトレンドバー（カラーではない等）は、特定パラーメータ用のトレンディングが無効になったことを表す。
【００７６】
追加して、一つの実施の形態において、垂直配置矢印２２３は、パラーメータ値の変化の方向を表すのに、個別パラーメータトレンドバー内に表示されることが可能である。例えば、そのような例に限定されないが、図２に図示したように、血圧の下降は、下向きの矢印（↓）で、血圧の上昇は、上向きの矢印（↑）で表される。
【００７７】
一つの実施の形態において、個別パラーメータ健康バーは、特定パラーメータについて更に詳しく提供するのに、「ホットリンク」が提供できる。他の実施の形態において、全体患者健康トレンドバーは、詳しく後述する健康バーメニューを提供するのに、「ホットリンク」が提供できる。例えば、そのような例に限定されないが、クリッキングトレンドバー２２４は、パラーメータゾーン内のグラフ又は波形として、ミニアチュア・パラーメータトレンドディスプレイ２２４aを出現させる。オプションとして、トレンドバーは、電子患者レコードを詳細に調べるためのインテロゲーション手段として振舞うのに利用される。
【００７８】
特定カラー及び影付きトレンドは、この実施の形態に関して説明されているが、任意のカラー数又は影付きの変化又は点線を用いることが可能であることは、当業者に明白である。
ライトバーを活用して、様々なパラーメータ用のトレンドバー属性はユーザ定義であり、このように、患者監視システムを利用する医療提供専門家によって設定される。そのような属性は、含まれるデータの収集長さとともに、トレンド情報の密度を含むことができる。
【００７９】
一つの実施の形態において、個別パラーメータトレンドバー２２０は、複数のビジュアルフォームで個別生理パラーメータ情報を表す。例えば、そのような例に限定されないが、トレンドバー２２０は、波形２２５内の含まれた情報を表すことができる。オプションとして、トレンドバー２２０情報は、含まれる数値の値に限定されないが、様々なビジュアルフォームで表示されることができる。
【００８０】
一つの実施の形態において、個別生理パラーメータアラームは、予め定義されたユーザ閾値又は範囲に基づいている。アラームステータスは、「アラームオフ」ステータスのアイコン２２６、又は「アラームオン」ステータスのアイコン２２７として表示される。生理パラーメータに関連する任意の番号は、ベッドサイドの患者用のどの生理パラーメータが監視されているか、及び／又は、中央ステーションディスプレイで表示されるようにそれらのどれが構成されたかに依存して、中央ステーションの複数のセクションに表示又は隠しするように構成及びカストマイズできることは当業者に明である。
【００８１】
オプションとして、各個別患者セクションは、更に、個別パラーメータに対応する、２２８a、２２８b、２２８c、及び２２８d等のゾーンにアレンジされる。追加して、異なるカラー及び形状のシンボルは、少なくとも１つの個別パラーメータの全体ステータスを反映するのに、用いられる。
【００８２】
図３は、本発明の中央ステーション患者情報ディスプレイの他の実施の形態の説明図である。一つの実施の形態において、中央ステーションディスプレイは、少なくとも１名患者用の全体患者ステータス健康バー３０１が提供できる。オプションとして、複数パラーメータ健康バーのトレンディング機能は、消去されること、及び数値の値で入れ替えることができる。図３に示すように、８時間間隔で監視するように構成された健康バー３０５は、消去され、少なくとも１つの生理パラーメータ測定の数値で入れ替えられる。
【００８３】
中央ステーションディスプレイの表示された個別パラーメータ数値は、臨床医によって設定でき、又はオプションとして、予め定義された時間間隔で複数のパラーメータでスクロールできる。例えば、その例に限定されないが、特定患者の心拍数を全体患者健康に対して心臓病ユニット上に表示するために、臨床医がシステムをオプションとしてプログラムできる。
【００８４】
図４Ａ〜４Ｄは、健康バーが有効にされた、本発明のベッドサイド監視患者情報ディスプレイの概要を図示している。前に説明したように、全体健康ステート又は患者の「健康」は、ルールに基づいたエンジンの構成可能及びユーザ定義のルールに基づいて変換され、及び分析された、生理的に及び／又は統計パラーメータで複数のユーザで選択又は定義された機能である。
【００８５】
一つの実施の形態において、そのような構成に限定されないが、患者の「健康」は、患者統計を考慮して、一つのパラーメータの機能として計算されたものである。他の実施の形態において、患者の健康は、複数のパラーメータの機能として計算されたものである。例えば、そのような例に限定されないが、患者の健康は、ＳｐＯ２レベル及びＥＣＧ心拍数を利用して計算される。もっと詳しくは、心拍数の上昇と共に血中酸素が低下することを取り入れた計算は、個別パラーメータアラームがトリガーされなくとも、重大な問題を示すことができる。健康パラーメータは、患者の全体の調子及び健康を示すのに少なくとも１つの要素、好ましくは、複数の生理パラーメータとして、このように計算される。
【００８６】
図４Ａは、健康バーが有効にされていない、本発明の患者ベッドサイドモニタ４００の一つの実施の形態を図示している。図４Ａ〜４Ｄは、健康バーを有効にする動作ステップを図示している説明図である。図４Ａに図示したように、オペレータは、健康バーエリア４０１にタッチして、健康バーセットアップスクリーンをランチすることができる。
【００８７】
健康バーエリア４０１をタッチした後、健康バーセットアップスクリーン４０５は、有効にされ、使用可能なテンプレート及びセーブされたプロトコルライブラリを見せる。図４Ｂに示すように、ＳｐＯ２レート変化のテンプレートは、健康バーセットアップスクリーン４０５から選択される。図４Ｃは、変化のＳｐＯ２レートルールを図示している、ＳｐＯ２ レート変化テンプレートスクリーンを図示している。複数の手動オプション４０７が、限定されないが、一般ルールを有効又は無効、ルールパラーメータの変更、及び、ルール変化の承認又は否定を含む、ルール変化のルールスクリーン上に表される。スクリーンは、変化の発効のために介護士によって承認されなければならない。
【００８８】
いったん変化が承認されると、図４Ｄに示すように、健康バー４１０は、健康バーエリア４０１内に視覚でき、及び有効である、一つの実施の形態において、統合トレンドバー４０１は、トレンドバーの全体幅をカバーして、緑色へ変化する黄色で表示され、緑色は再度黄色へ変化する。一つの実施の形態において、トレンドバーの幅は、時間間隔ドロップダウンメニュー４０２を介して構成された、８時間患者監視時間間隔に相互に関連付けられる。このように、上述の例において、統合トレンドバー内に色で表された患者の全体健康は、警報ステートから通常ステートへ移動し、８時間スパンで警報ステートへ戻る。
【００８９】
健康バーは、ルールのステートメントを見せ、健康インディケータをオン又はオフに留めて、さらにトレンディングスクリーンへのアクセスを与えるためにタッチできる。このように、上述したように、健康バーは、追加データへ「ホットリンク」として振舞う。
【００９０】
戻って図４Ｄに示すように、健康バー４１０は、上述の図２に説明された中央ステーションディスプレイ上に表示された色に相互に関連付けられ、複数の測定生理パラーメータ用に全体患者状態を示すことが可能である。追加して、後述の図１１に詳細に説明されるように、ベッドサイドモニタの上部のライトバー１１００が点灯するとき、臨床医は、患者のルームへ一見みただけで、患者のステータスを確かめることができる。上述したように、表示されたカラーは、患者ステータスを示す。
【００９１】
図５は、本発明のベッドサイド監視患者情報ディスプレイの一つの実施の形態を図示している部分図である。図２の中央監視ステーションディスプレイについて説明したように、患者ベッドサイドモニタディスプレイは、それぞれが特定患者パラーメータを示す、ゾーン５０１及び５０２等のゾーンに分割される。一つの実施の形態において、ゾーン５０２等の各パラーメータゾーンは、更に、要求されたときミニアチュアトレンドグラフ５０４を表示するために予約された波形エリア５０３からなる。追加して、インフェレンスエンジンに基づいたルールを介してユーザによって定義された、予め定義された閾値内に又は範囲内に、特定患者パラーメータがあるか否かを一見で見せるのに用いられたもので、パラーメータトレンドバー５０５及び５０６は、波形エリア５０３及び５０７の近くにそれぞれ表示される。
【００９２】
オプションとして、ミニアチュアトレンドグラフ５０４の時間ディスプレイレンジは、各パラーメータ用に個別に構成されることができる。このように、臨床医は、見たい生理パラーメータデータのタイムレンジを選択できる。トレンドバータイムコントロールキー５０８は、タイムレンジの選択用にベッドサイドモニタのコントロール上に提供されている。一つの実施の形態において、ミニアチュアトレンドグラフ５０４は、１２時間のデフォルトタイムレンジを表示する。
【００９３】
オプションとして、トレンドグラフ５０４は、複数のディスプレイステータスにあるようにパラーメータごとに構成できる。これは、いつも表示されることに限定されないが、臨床医の要求で表示、又は、インフェレンスエンジンのルールによって判定されたものとして、トレンド注意が起きたとき、自動的に表示できる。
【００９４】
トレンドバーは、オプションとして、複数の要素又はパラーメータ毎の取得のために、医療提供者によって、構成可能である。例えば、ＥＣＧモニタリングは、心拍、不整脈カウント、及びＳＴ等に限定されないが、複数のコンポネントをトラックするように構成できる。トレンドバーは、ＥＣＧモニタリングを構成し、結果の要約を提供する要素を個別にトラックするために構成されることがこのように可能である。
【００９５】
図６は、本発明の患者情報ディスプレイの他の実施の形態の概略図である。もっと詳しくは、図６は、通常ステートとアラームステートの両方内の患者情報のもっと簡易化したディスプレイを表している。異なるステートを表すのに異なるアイコンが利用されている。図６に示したように、垂直矢印６０１は、パラーメータ値での減少を表す(下向きの矢印)するのに利用されている。
【００９６】
一つの実施の形態において、上向きの垂直矢印は、パラーメータ値の向上を表すのに利用することが可能である。長方形ブロック６０２は、安定したパラーメータステータスを表すのに利用されている。そのような視覚インディケータは、重要な情報を一見しただけで、医療提供者又は臨床医に警報する。例えば、「ＥＣＧ心拍数は、最後の２時間でベースラインから２０％変化したが、ＡＨＡ承認のアラーム限度内にある。」等のＥＣＧデータは、ディスプレイ上に簡単に見え、医療提供専門家によって識別されることができる。
【００９７】
図７は、本発明の患者監視システムのトレンドディスプレイを図示しており、更に、アラーム又は警報状態を図示している。一つの実施の形態において、警報状態の性質は、警報ステートのとき、トレンドバー７０１をタッチすることでアクセスされる。一つの実施の形態において、警報ステートは、トレンド警報矢印７０２によって表示される。一つの実施の形態において、トレンド警報矢印７０２は、患者健康の減少を表すとき下へ向く。ディスプレイ７００は、臨床医によって使いやすいように洗練されたものである。
【００９８】
追加して、ディスプレイ７００は、限定されない、時間インターバル７０３、パラーメータ変化７０４、及び、「最後の２０分内にＳｐＯ２ が急に下がった」等に限定されないが情報の合計７０５を含む警報状態のステータス上の情報を提供する。追加して、ＳｐＯ２の変化を判定するのに用いるアルゴリズム、これの結果警報状態等の他の関連情報は表示される。
【００９９】
図８は、本発明の患者監視システムの統合トレンドディスプレイを図示しており、更に、中央ステーションで見せる患者ステータスタイトルバーを図示している。患者ステータスタイトルバー８００は、上述の図２及び３にも説明された。中央ステーションビューは、少なくとも１つ、好ましくは、複数の患者ステータスタイトルバー８００からなる。患者は、ベッド番号８０１、氏名８０２、及び全体患者ステータスでリストされている。全体患者ステータスは、各測定患者パラーメータを、全体ステータス表示、及び、上述したように全体患者ステータスを表す予測モデルアイコン８０４それぞれに結合した統合トレンドバー８０３で表されている。一つの実施の形態において、予測モデルアイコン８０４は、予測表示ドットである。
【０１００】
図９は、本発明のベッドサイドモニタ患者情報ディスプレイの他の実施の形態を図示している。もっと詳しくは、図９に図示したように、患者ベッドサイドモニタは、ハンドヘルド、携帯可能なユニット９００であることが可能である。オプションとして、ハンドヘルド、携帯可能なモニタユニット９００は、ポールクランプ９０１を利用するとき、固定ユニットであることが可能である。携帯ユニット９００は、更に、ＰＣ又はラップトップ等の外部計算デバイスへリンク可能にする周辺機器インターフェース９０２から構成される。
【０１０１】
患者状態に関するデータは、計算デバイスへ送信され、更に処理、分析、及び／又は検索のために格納されることが可能である。外部計算デバイスへの接続の種類によって、周辺機器インターフェース９０２の構成が様々である。例えば、データは、ベッドサイドモニタからＰＣへ有線リンクで送信可能である。よって、周辺機器インターフェース９０２は、ＰＣとの通信用にＵＳＢポート又はＲＳ２３２シリアル接続からなることが可能である。
【０１０２】
追加して、ベッドサイドモニタ９００は、オプションとして、電磁波又は赤外線等の無線リンク手段によって、データ送信できる。よって、周辺機器インターフェース９０２は、電磁波又は赤外線信号を受信するように構成された計算デバイスへ電磁波又は赤外線信号の送信可能な送信機（図示せず。）から構成されることが可能である。図９に図示したように、ベッドサイドモニタ９００は、オプションとして、周辺機器インターフェース９０２内のイーサネット（登録商標）能力を含むことによって、他のベッドサイドモニタと通信できるように設置することが可能である。このように、全てのベッドサイドモニタは、中央ステーションと共に、高速ローカルエリアネットワーク（ＬＡＮ）に相互接続されることが可能である。
【０１０３】
上述したように病院及び集中治療環境でのこれの利用に追加して、本発明の患者監視システムは、運動又は身体活動に従事している個人へフィードバックを提供するために利用されることが可能である。そのようなフィードバックは、特に、競技者及びスポーツ選手に有用であり、進歩を正確に測定するのに役立つ。一般的な健康と身体フィットネスの判定及び最適トレーニングレベル監視用に利用される２つの主要パラーメータは、心拍数(１分ごとの振動数)と血液中の酸素レベルである。
【０１０４】
本発明の生理監視システムは、心拍数測定用のセンサー及び、血中酸素濃度測定用の酸素濃度計を含む。更に、図９に関して前に説明されたように、携帯患者モニタユニット９００は、身体活動の期間中の生理パラーメータについて連続フィードバックを提供するリアルタイムトラッカーとしての利用に適している。例えば、ディスプレイユニットは、ユーザのウェストを巻いた、又は自転車に搭載された（ハンドレバーにマウントされた等）構成されていることが可能である。監視システムは、トレッドミル上を歩く又は走るときの心拍数及び血中酸素データが提供できるように、監視システムは、トレッドミルディスプレイスクリーン上にデータを表示するように構成されることが可能である。
【０１０５】
場所にかかわりないで、このシステムは、ユーザが一見しただけで、クリティカルデータ、及びその分析を提供する能力を有する。監視システムはは、また、生理パラーメータが設定されたターゲットに合わなくなったときに有効になる音声、又は視覚のアラームを含む。よって、ユーザの血中酸素濃度又は心拍数が設定ターゲットを超過したとき、停止したとき、ユーザは、瞬時に警報される。特別のフィットネス又はトレーニングレベルを達成しようとトライする人に、特に役立つものである。
【０１０６】
図１０は、臨床情況に用いられ、本発明の連続トレンディングディスプレイを有する患者監視システムの相互接続及び動作を図示したダイアグラムである。よって、連続マルチパラーメータ概要トレンディングディスプレイ健康バー及び予測モデル「アイコン」は、臨床設定の必要及び要求によって、中央ディスプレイ、患者の部屋のベッドサイドモニタ、無線デバイス、ネットワークされたデバイス、及びリモートディスプレイ上の強度又は色を介して、表示されている。
【０１０７】
このように、患者ステータスは、いつも、臨床医によって一見しただけでアクセス可能である。例えば、一つの実施の形態において、戻って図９に示すように、マルチパラーメータ概要ベッドサイドディスプレイは、携帯可能で、ハンドヘルドユニットである。そのようなユニットの詳細は、図９に関しての説明に説明されているので、ここで繰り返さない。
【０１０８】
図１１は、上述したように、臨床医警報ライトとして実装された患者健康トレンドバーの概略図である。図１に戻って示すように、一つの実施の形態において、モニタ１０２は、更に、「看護師警報」として動作する半透明のバーからなる。半透明バー１１００は、赤、緑、及び黄色に限定されないが異なる色のＬＥＤのシリーズ（図示せず）からなる。一つの実施の形態において、健康バー上のトレンディングを表示するのに、半透明バーは、少なくとも１つの、又は複数の色を表示可能である。
【０１０９】
このように、半透明バーは、看護師又は他の臨床医が、患者部屋へ簡単に一見し、複数の生理パラーメータの組み合わせに関する患者健康ステータスにアクセスすることを可能にする、患者の健康バーステータスのroughインディケータとして役立つ。特に、半透明警報バーは、ディスプレイエリアが、スコープ、ピクセルサイズ、及び能力が限定されている情況に利用できる。
【０１１０】
上述の例は、本発明のシステムのたくさんの応用の単に実例に過ぎない。ここで本発明の数少ない実施の形態が説明されたが、本発明の精神と範囲から逸脱することなく、他のたくさんの特定形式で本発明が実施されることが明らかである。従って、本実施例及び実施の形態は、実例であり、制限されたものではなく、及び、本発明は、添付の請求の範囲内に修正可能である。
【図面の簡単な説明】
【０１１１】
【図１】図１は、本発明に利用される患者監視装置の一つの実施の形態の概略図である。
【図２】図２は、本発明の中央ステーション患者情報ディスプレイの一つの実施の形態の説明図である。
【図３】図３は、本発明の中央ステーション患者情報ディスプレイの他の実施の形態の説明図である。
【図４Ａ】図４Ａは、健康バーが設置された、本発明のベッドサイドモニタ患者情報ディスプレイを図示した図である。
【図４Ｂ】図４Ｂは、健康バーが設置された、本発明のベッドサイドモニタ患者情報ディスプレイを図示した図である。
【図４Ｃ】図４Ｃは、健康バーが設置された、本発明のベッドサイドモニタ患者情報ディスプレイを図示した図である。
【図４Ｄ】図４Ｄは、健康バーが設置された、本発明のベッドサイドモニタ患者情報ディスプレイを図示した図である。
【図５】図５は、本発明のベッドサイドモニタ患者情報ディスプレイの他の実施の形態を図示した図である。
【図６】図６は、本発明の患者情報ディスプレイの一つの実施の形態の説明図である。
【図７】図７は、本発明の患者監視システムのトレンドディスプレイを図示した図であり、更に、アラーム又は警報状態を図示している。
【図８】図８は、本発明の患者監視システムの統合トレンドディスプレイを図示した図であり、更に、患者ステータスタイトルバーを図示している。
【図９】図９は、本発明のベッドサイドモニタ患者情報ディスプレイの一つの実施の形態を図示した図である。
【図１０】図１０は、臨床応用に用いられる、本発明の連続トレンディングディスプレイを備えた患者監視システムの相互接続及び動作の概略図である。
【図１１】図１１は、看護師警報ライト上に実装された患者健康トレンドバーの説明図である。
【図１】
2008531209.tif 000003
【図２】
2008531209.tif 000004
【図３】
2008531209.tif 000005
【図４Ａ】
2008531209.tif 000006
【図４Ｂ】
2008531209.tif 000007
【図４Ｃ】
2008531209.tif 000008
【図４Ｄ】
2008531209.tif 000009
【図５】
2008531209.tif 000010
【図６】
2008531209.tif 000011
【図７】
2008531209.tif 000012
【図８】
2008531209.tif 000013
【図９】
2008531209.tif 000014
【図１０】
2008531209.tif 000015
【図１１】
2008531209.tif 000016
【国際調査報告】
2008531209.tif 000017